(57)【要約】【課題】構造が簡単で、組み立てが容易である魚釣り玩具の改善構造を提供する。【解決手段】板材から切り取って造形されて立体の空心状に折り貼りされた魚身１がある。魚身１の前方には開け閉め可能な片方の開口１１があり、魚身１の両側にはばね２に合わせたフックが設けられ、開口１１の縁には粘着点３が設けられているものが含まれている。これにより、遊戯時は、電池を使わなくても、生き生きとした効果が得られ、軽く押して待てば、自動的に跳び上がって噛み付く。【選択図】図１
0003126165.tif 000002
【実用新案登録請求の範囲】
【請求項１】
板材から切り取って造形されて立体の空心状に折り貼りされた魚身であり、魚身の前方には開け閉め可能な片方の開口があり、魚身の両側にはばねに合わせたフックが設けられ、開口の縁には粘着点が設けられているものが含まれ、遊戯時は、電池を使わなくても、生き生きとした効果が得られ、軽く押して待てば、自動的に跳び上がって噛み付くことを特徴とする魚釣り玩具の改善構造。
【請求項２】
板材は、二葉の相対して置かれた蝶形の切り紙であって、尾びれが連接する各枚には複数の折線が設けられて中間は欠け傘状に現れ、それには五枚の互いに連接した三角片があり、最後の三角片の外縁は前記尾びれに連接され、中間の二枚の三角片の外縁には内折する接続片が設けられ、二枚の接続片の前端には欠け口のあるフックが設けられ、最前端の二枚の三角片の前端には梯子形の内折片が設けられ、両外縁には左右の接続片が設けられ、左右の接続片の前端は魚の唇状に設けられていることを特徴とする請求項１に記載の魚釣り玩具の改善構造。
【請求項３】
魚身の開口の内部の周辺に複数個の粘着点が設けられていることを特徴とする請求項１記載の魚釣り玩具の改善構造。
【請求項４】
魚身の外部に図案が印刷され、その片方の眼部は透視状に設けられ、他方の内部は正面に粘着点が設けられていることを特徴とする請求項３に記載の魚釣り玩具の改善構造。
【考案の詳細な説明】
【技術分野】
【０００１】
本考案は、魚釣り玩具の新型改善に関するものであり、特に、構造が簡単で組み立てが容易であり、板材を裁断して折り貼り、内部にばね及び適当な粘着剤が設けられ、携帯が便利で遊びに場所の制限がなく、軽く押して待てば、自動的に跳び上がって噛み付き、電池を使わなくても、生き生きとした効果が得られる魚釣り玩具の改善構造を指すものである。
【背景技術】
【０００２】
早期の簡単な魚釣り玩具の構造は、釣られるものが地上に分散して置かれ、それから、釣竿で釣り糸を投げ出し、前端の磁石をもって吸い付けて引き上げ、玩具魚の造形は固定して終始動かず、遊戯時は、他動的に釣り上げられ、噛み付きの生き生きした効果が得られない。
【０００３】
やや先進的な設計は、中華民国新型特許第００４０５４３５号公示の如く、魚釣り玩具の構造の主要は次のものを含む。レール盤及び受け盤を含む回転盤は、受け盤がレール盤の上に設けられ、レール盤には数本の環状に排列されたラックが設けられ、受け盤には数個の容置空間が設けられ、各容置空間内には一枚のシート及び一つの孔が設けられ、シートは跳ね上げ及び下落することができ、レール盤上のラック面は容置空間の孔から露出している。他に複数個の釣具があり、釣具は水平に受け盤の容置空間内のシート上に置かれ、シートの跳ね上げまたは下落によって釣具を仰げ状態または水平状態になるように押し動かす。釣具の内部には歯車が設けられ、歯車には突起が設けられ、歯車とレール盤のラックは契合し、釣具の外部には少なくとも魚身の殻体及び魚顎の殻体が含まれ、魚顎の殻体の適当個所には突起が設けられ、歯車上の突起の作用により、魚顎の殻体は、釣具が仰げ状態になると、下落して口開け状になるように形成される。
【０００４】
ところが、周知の魚釣り玩具の構造は、あまりにも複雑で、製造コストが高く、構造が大きくて携帯が不便であり、遊戯時は一定の場所が必要であり、電池がないと、作動しない。また、魚身の群れが回っている場合、機器の設定の関係により口の開閉のタイミングが容易に見破られるので、長い間釣っていると、簡単に釣り上げることができ、難しさが低減して挑戦性が失われてしまい、面白さが減ってしまって玩具は捨てられるので、それの最大の欠点とも云える。
このことに鑑み、本考案の考案者は、多くの研究改善を経た後、遂に本考案を作り出すことができた。
【考案の開示】
【考案が解決しようとする課題】
【０００５】
本考案の主な目的は、構造が簡単で組み立てが容易であり、板材を裁断して折り貼り、内部にばね及び適当な粘着剤が設けられ、携帯が便利で遊戯に場所の制限がなく、軽く押して待てば、自動的に跳び上がって噛み付き、電池を使わなくても、生き生きとした効果が得られる魚釣り玩具の改善構造を提供するものである。
【課題を解決するための手段】
【０００６】
前述目的を達成するため、本考案の魚釣り玩具の改善構造の主要は、板材から切り取って造形されて立体の空心状に折り貼りされた魚身で、魚身の前方には開け閉めできる片方の開口があり、魚身の両側にはばねに合わせたフックが設けられ、開口の縁には粘着点が設けられているものが含まれ、これにより、組み立て構造や携帯が便利で、遊戯の場所が制限されず、電池を使わなくても、生き生きとした効果が得られ、軽く押して待てば、自動的に跳び上がって噛み付く効果が発生する。
【考案を実施するための最良の形態】
【０００７】
本考案の構成内容及びその他特徴等をより明瞭にするため、ここに図面と合わせて実施例を詳しく説明する。
図１から図７に示すように、本考案の一実施例による魚釣り玩具の改善構造の主要は、板材１０から切り取って造形されて立体の空心状に折り貼りされた魚身１で、魚身１の前方には開け閉めできる片方の開口１１があり、魚身１の両側にはばね２に合わせたフック１２が設けられ、開口１１の縁には粘着点１３が設けられているものが含まれ、これにより、遊戯時は、電池を使わなくても、生き生きとした効果が得られ、軽く押して待てば、自動的に跳び上がって噛み付く。
【０００８】
図１と図３に示すように、実施時、ばね２はゴム輪でもよく、板材１０は二葉の相対して置かれた蝶形の切り紙で、尾びれ１９が連接する各枚には複数の折線１８が設けられて中間は欠け傘状に現れ、それには五枚の互いに連接した三角片１７１、三角片１７２、三角片１７３、三角片１７４及び三角片１７５があり、最後の三角片１７１の外縁は前述の尾びれ１９に連接され、中間の二枚の三角片１７２と三角片１７３の外縁には内折する接続片１６が設けられ、二枚の接続片１６の前端には欠け口のあるフック１２が設けられ、最前端の二枚の三角片１７４と三角片１７５の前端には梯子形の内折片１５が設けられ、両外縁には左右の接続片１４が設けられ、左右の接続片１４の前端は円弧形に突き出した魚の唇１４１が設けられ、板材１０の外部には図案が印刷され、組み立てられたら、より魚の形に似るようになる。
【０００９】
図１から図４に示すように、組み立て時、先ず板材１０の二葉の梯子形の内折片１５を内折りして粘着し、開口１１が成形されると、やや滑らかになって手を切ることなく、使用時は、より安全になり、その後は、両側の内折する二枚の接続片１６を内へ折り曲げ、更に、二葉を互いに相合わせて貼り付け、両側の尾びれ１９及び左右の接続片１４は外部で互いに粘着し、両側の接続片１６は内部で互いに粘着して立体の空心の魚が構成され、その後は、更に、両側のフック１２にゴム輪を取り付けてばね２になるようにする。
【００１０】
これにより、図６と図７に示すように、それの構造組み立ては簡単で携帯が便利であり、なおかつ遊戯は場所に制限されず、魚身１を軽く平らに押すだけで、内面に設けられている粘着点３は二葉の面を一体に粘着し、釣り竿４の釣り糸の餌４１を以って待ち、少し経つと、ばね２の収縮力は徐々に粘着点３を脱落させ、こうすれば、魚身１は自動的に跳ね上がって噛み付き、完全に電池を使わなくても、とても面白い生き生きとした効果が得られる。
【００１１】
この外、図５に示すように、魚身１の跳ね上がって噛み付くタイミングを多段に制御するため、開口１１の内部周辺に更に複数個の粘着点３を設けてもよく、遊戯を競争にする場合、複数の粘着点３の設計は随意に一点、二点または三点の粘着にすることができ、それによって魚身１の跳ね上がって噛み付くタイミングは多段に制御され、遊戯は更に刺激的になって面白くなる。
【００１２】
この外、図５に示すように、製造時は、魚身１の片方の眼部１３を透視状に設けてもよく、他方の内部は正面に前述の粘着点３が設けられ、こうすれば、遊戯の魚釣り時は、魚身１の眼部１３と粘着点３が互いに離脱することにより、透視できる眼部１３から変化が見えて魚身１がすぐに跳ね上がるかを判断することができ、趣味性を増やすことができる。
【００１３】
上述をまとめると、本考案は、構造が簡単で組み立てが容易であり、機能は従来のものより遥かに勝り、進歩性及び産業の利用価値があるので、法に従って新型実用新案の登録請求を提出する。
【００１４】
上述具体的実施例は本考案の目的、特徴及び効果を詳細に説明するものであり、この技術を熟知するものは上述説明によって具体的実施例に対して部分変更及び改修を行うことができるが、それの本質が本考案の精神範疇を離脱しないものはすべて本考案の実用新案登録請求の範囲内に含まれるものとする。
【図面の簡単な説明】
【００１５】
【図１】本考案の一実施例による魚釣り玩具の改善構造を示す分解斜視図である。
【図２】本考案の一実施例による魚釣り玩具の改善構造の組み立て状態を示す上面図である。
【図３】本考案の一実施例による魚釣り玩具の改善構造の魚身を示す展開図である。
【図４】本考案の一実施例による魚釣り玩具の改善構造の組み合せ状態を示す模式図である。
【図５】本考案の他の実施例による魚釣り玩具の改善構造の組み合せ状態を示す模式図である。
【図６】本考案の一実施例による魚釣り玩具の改善構造の魚身の押し貼りの応用を示す模式図である。
【図７】本考案の一実施例による魚釣り玩具の改善構造の魚身が跳び上がって噛み付く状態を示す模式図である。
【符号の説明】
【００１６】
１  魚身、２  ばね、３  粘着点、４  釣竿、１０  板材、１１  開口、１２  フック、１３  眼部、１４  接続片、１５  内折片、１６  接続片、１８  折線、１９  尾びれ、４１  餌、１４１  魚の唇、１７１  三角片、１７２  三角片、１７３  三角片、１７４  三角片、１７５  三角片
【図１】
0003126165.tif 000003
【図２】
0003126165.tif 000004
【図３】
0003126165.tif 000005
【図４】
0003126165.tif 000006
【図５】
0003126165.tif 000007
【図６】
0003126165.tif 000008
【図７】
0003126165.tif 000009
【手続補正書】
【提出日】平成18年7月27日(2006.7.27)
【手続補正１】
【補正対象書類名】実用新案登録請求の範囲
【補正対象項目名】全文
【補正方法】変更
【補正の内容】
【実用新案登録請求の範囲】
【請求項１】
板材から切り取って造形されて立体の空心状に折り貼りされた魚身部と、
前記魚身部の前方に設けられ、開け閉め可能な片方の開口と、
前記魚身部の両側に設けられているばね、及び前記ばねに合わせて設けられたフックと、
前記開口の縁に設けられている粘着部と、
を備えることを特徴とする魚釣り玩具。
【請求項２】
前記板材は、対称軸に対称な蝶形の切り紙であって、尾びれが連接する部分には複数の折線が設けられてその中間には切欠が形成され、
前記板材には五枚の互いに連接した三角片があり、端部側の三角片の外縁は前記尾びれに連接され、中間の二枚の三角片の外縁には内折する接続片が設けられ、二枚の接続片の前端には欠け口のあるフックが設けられ、外側の二枚の三角片の前端には梯子形状の内折片が設けられ、両外縁には左右の接続片が設けられ、接続片の前端は魚の唇状に形成されていることを特徴とする請求項１に記載の魚釣り玩具。
【請求項３】
前記魚身部の前記開口の内部の周辺に複数個の粘着部が設けられていることを特徴とする請求項１記載の魚釣り玩具。
【請求項４】
前記魚身部の外部に図案が印刷され、いずれか一方の眼部は透明に形成され、他方には前記粘着部が設けられていることを特徴とする請求項３に記載の魚釣り玩具。